(57)【要約】      （修正有）【課題】画素カウントを単純にカウントするだけでは、画素カウント値とトナー消費量が正確に対応しないことがあるので、プロセスコントロール用補正データの値に応じて、画素カウント累積値を補正することで、正確な画素カウント値を得ること。【解決手段】コピー画像およびプリント画像の画素カウントを行う画像形成装置において、プロセスコントロール用補正データの値に応じて、画素カウント計算用の累積値を補正する。【選択図】図１
2008122605.tif 000002
【特許請求の範囲】
【請求項１】
コピー画像およびプリント画像の画素カウントを行う画像形成装置において、プロセスコントロール用補正データの値に応じて、画素カウント計算用の累積値を補正することを特徴とする画像形成装置。
【請求項２】
プロセスコントロールデータとして黒ベタ画像濃度をフォトセンサで読み取ることを特徴とする請求項１記載の画像形成装置。
【請求項３】
前記黒ベタ画像濃度が異常な場合は、警告を表示することを特徴とする請求項２記載の画像形成装置。
【請求項４】
前記黒ベタ画像濃度を可変設定にすることを特徴とする請求項２記載の画像形成装置。
【請求項５】
黒ベタ画像の主走査および副走査領域を可変設定にすることを特徴とする請求項２記載の画像形成装置。
【請求項６】
黒ベタ画像を手動で生成することを特徴とする請求項２記載の画像形成装置。
【請求項７】
黒ベタ画像を自動生成することを特徴とする請求項２記載の画像形成装置。
【請求項８】
画素カウンタをカウントするカウンタを画像領域部と非画像領域部で、別個に持つことを特徴とする請求項１記載の画像形成装置。
【請求項９】
画像部用カウンタを、画像領域有効信号でリセットすることを特徴とする請求項１記載の画像形成装置。
【請求項１０】
画像領域有効時に、前ページの画素カウント値を読み出す手段を有することを特徴とする請求項１記載の画像形成装置。
【請求項１１】
前記画素カウント値が異常な場合に、警告を表示することを特徴とする請求項１０記載の画像形成装置。
【請求項１２】
画素データをトナー消費量データに変換する手段を有することを特徴とする請求項１記載の画像形成装置。
【請求項１３】
画素データをトナー消費量データに変換する手段として、画像部用と非画像部用の２個のテーブルを持つことを特徴とする請求項１記載の画像形成装置。
【請求項１４】
プロセスコントロール用補正データの複数回のデータを演算して、演算結果に基づいて画素カウント計算用の累積値を補正することを特徴とする請求項１記載の画像形成装置。
【請求項１５】
前記画素カウント計算用の累積値が異常な場合に、警告を表示することを特徴とする請求項１４記載の画像形成装置。
【発明の詳細な説明】
【技術分野】
【０００１】
本発明は、ＬＤ光で感光体に潜像を形成する画像形成装置に関するものである。
【背景技術】
【０００２】
従来技術としては特許文献１がある。これは入力画像信号の画像面積率により、トナー付着量を変化させるものである。
【０００３】
ここで、コピー機能、ファクシミリ機能、プリンタ機能などの複数のアプリケーション機能を有し、画像読み取り手段、画像形成手段、給紙カセットを含む画像形成装置であって、計測手段と、対比手段と、判別手段と、カウント値増加手段と、枚数換算手段とを備えることで、通常使用と通常使用以外のトナーの消費量を簡易かつ正確に把握することができ、さらに、通常使用以外のトナー消費量を詳細に管理することができる技術が開示されている。
【特許文献１】特開２００６−１２６７５３号公報
【特許文献２】特開２００６−０９１３５６号公報
【発明の開示】
【発明が解決しようとする課題】
【０００４】
従来技術では、画素カウントを単純にカウントするだけなので、画素カウント値とトナー消費量が正確に対応していない。
【０００５】
そこで、本発明では、プロセスコントロール用補正データの値に応じて、画素カウント累積値を補正することで、正確な画素カウント値を得ることを目的とする。
【課題を解決するための手段】
【０００６】
請求項１記載の発明は、コピー画像およびプリント画像の画素カウントを行う画像形成装置において、プロセスコントロール用補正データの値に応じて、画素カウント計算用の累積値を補正することを特徴とする画像形成装置である。
【０００７】
請求項２記載の発明は、請求項１記載の画像形成装置において、プロセスコントロールデータとして黒ベタ画像濃度をフォトセンサで読み取ることを特徴とする。
【０００８】
請求項３記載の発明は、請求項２記載の画像形成装置において、黒ベタ画像濃度が異常な場合は、警告を表示することを特徴とする。
【０００９】
請求項４記載の発明は、請求項２記載の画像形成装置において、黒ベタ画像濃度を可変設定にすることを特徴とする。
【００１０】
請求項５記載の発明は、請求項２記載の画像形成装置において、黒ベタ画像の主走査および副走査領域を可変設定にすることを特徴とする。
【００１１】
請求項６記載の発明は、請求項２記載の画像形成装置において、黒ベタ画像を手動で生成することを特徴とする。
【００１２】
請求項７記載の発明は、請求項２記載の画像形成装置において、黒ベタ画像を自動生成することを特徴とする。
【００１３】
請求項８記載の発明は、請求項１記載の画像形成装置において、画素カウンタをカウントするカウンタを画像領域部と非画像領域部で、別個に持つことを特徴とする。
【００１４】
請求項９記載の発明は、請求項１記載の画像形成装置において、画像部用カウンタを、画像領域有効信号でリセットすることを特徴とする。
【００１５】
請求項１０記載の発明は、請求項１記載の画像形成装置において、画像領域有効時に、前ページの画素カウント値を読み出す手段を有することを特徴とする。
【００１６】
請求項１１記載の発明は、請求項１０記載の画像形成装置において、画素カウント値が異常な場合に、警告を表示することを特徴とする。
【００１７】
請求項１２記載の発明は、請求項１記載の画像形成装置において、画素データをトナー消費量データに変換する手段を有することを特徴とする。
【００１８】
請求項１３記載の発明は、請求項１記載の画像形成装置において、画素データをトナー消費量データに変換する手段として、画像部用と非画像部用の２個のテーブルを持つことを特徴とする。
【００１９】
請求項１４記載の発明は、請求項１記載の画像形成装置において、プロセスコントロール用補正データの複数回のデータを演算して、演算結果に基づいて画素カウント計算用の累積値を補正することを特徴とする。
【００２０】
請求項１５記載の発明は、請求項１４記載の画像形成装置において、画素カウント計算用の累積値が異常な場合に、警告を表示することを特徴とする。
【発明の効果】
【００２１】
本発明によれば、プロセスコントロール用補正データの値に応じて、画素カウント累積値を補正することで、正確な画素カウント値を得ることができる。
【発明を実施するための最良の形態】
【００２２】
図１に、本発明の実施の形態のコピア、プリンタの走査光学系のブロック図を示す。
【００２３】
ＬＤは、ＬＤ制御板で変調される。ＬＤ光は、コリメートレンズでコリメートされ、ポリゴンモータで走査され、fθレンズを通って感光体に照射されて、潜像を形成する。
【００２４】
図２に、同期検知部のブロック図を示す。同期検知素子は、有効画像領域外に設置される。ＬＤ光が同期検知素子に照射すると、電流Ｉが発生する。
【００２５】
コンパレータの入力には、Ｖ１＝ＩｘＲ１の電圧が発生し、これが基準電圧Ｖｒｅｆより大きくなると、コンパレータ出力Ｖ３は、ＬＯＷになる。ＬＤ光が同期検知素子を通りすぎると、Ｖ３出力はＨＩＧＨになる。
【００２６】
すなわち、Ｖ３出力（XDETP信号）は、図３に示すように、ある一定周期で、ＬＯＷ出力が発生する。
【００２７】
画素カウントを行うブロック図の１例を、図４に示す。
【００２８】
第１ライン濃度データと、第２ライン濃度データは、それぞれ１６Ｘ４ｂｉｔのＬＵＴ（ルックアップテーブル）に入る。
【００２９】
それぞれのＬＵＴ出力は、４ｂｉｔ＋４ｂｉｔＡｄｄｅｒで加算され、その出力が６ｂｉｔ累積Ａｄｄｅｒに入り、Ｃａｒｒｙ出力がＨの期間、Ｗｃｌｋが２７ｂｉｔＣｏｕｎｔｅｒでカウントされる。
【００３０】
２７ｂｉｔＣｏｕｎｔｅｒの出力はレジスタにラッチされる。ｐｆｇａｔｅ＿ｎ信号の立ち上がりでラッチされる。
【００３１】
レジスタ出力は、画素カウント変換部を通って画素カウント値になる。
【００３２】
画素カウント変換部のブロック図を図５に示す。プロセスコントロールデータとして、ある大きさの黒ベタ画像濃度をフォトセンサで読み取り、その濃度データで画素カウントの累積値を切り替える。
【００３３】
その濃度データが正常範囲を超えている場合は、操作部に警告を表示する。
【００３４】
黒ベタ画像は、ＬＤをある期間、発光させる事により形成するが、ＬＤが点灯するＤｕｔｙを変えたり、ＬＤの光量を変化させる事により、黒ベタ画像の濃度を変化させる事ができる。
【００３５】
黒ベタ画像の主走査は、主走査カウンタｌｃｏｕｎｔがある値になるとＰＳＯＮとなり、黒ベタデータがアサートされる。
【００３６】
ｌｃｏｕｎｔがある値になると、PSOFFになり、黒ベタデータがネゲートされる。ｌｃｏｕｎｔは、ＸＤＥＴＰのＬＯＷ信号でリセットされる。
【００３７】
図7の主走査ＰＳＬＧＡＴＥ期間、主走査方向に黒画像が形成される。
【００３８】
副走査方向の黒画像の有効領域を図８に示す。副走査カウンタｆｃｏｕｎｔは、ＸＤＥＴＰ信号をカウントする。
【００３９】
ｆｃｏｕｎｔ値がある値になると、ＰＳＥＮがアサートされて、副走査方向の黒画像が
作成される。ｆｃｏｕｎｔ値が設定値になると、ＰＳＥＮはネゲートされて、副走査方向の黒画像が禁止される。
【００４０】
プロセスコントロール用の黒ベタ画像を自動生成するブロック図を図１３に示す。
【００４１】
ＰＦＧＡＴＥがＬＯＷになると、ＰＳカウンタがリセットされる。ＰＳカウンタはｌｃｌｒｅをカウントする。ＰＳカウンタ値がｐｓｆｄｌｙ＿ｒの値に等しくなると、ＰＳＦＧＡＴＥがアサートされる。
【００４２】
ＰＳカウンタ値がｐｓｆｄｌｙ＋ｐｓｆｇａｔｅの値に等しくなると、ＰＳＦＧＡＴＥがネゲートされる。ＰＳＦＧＡＴＥがアサートされている期間が、Ｐセンサが出力される領域である。
【００４３】
これがＰセンサパターン（プロセスコントロール用黒ベタパターン）を自動生成させる
方式の説明である。
【００４４】
Ｐセンサパターンを手動生成する場合は、ＰＳカウンタを使用せずに、ＰＳＥＮレジスタをソフトでアサートする事により、Ｐセンサパターンの生成が開始される。
【００４５】
画素カウンタを画像領域部でカウントするブロック図とタイミングチャートを図９、図１０に示す。
【００４６】
画素カウンタを非画像領域部でカウントするブロック図とタイミングチャートを図１１、図１２に示す。
【００４７】
画像領域部のカウンタは、図１０に示すように、画像領域信号のＰＦＧＡＴＥ＿ｎがアサートされると、ａｃｌｒパルスが発生して、ａｄｃｏｕｎｔがリセットされる。
【００４８】
ａｄｄｅｒには前頁の画素カウント値がラッチされている。ｐｆｇａｔｅ＿ｎがネゲートされる時、ａｃｌａｔｃｈパルスが発生し、それにより、現頁の画素カウント値がラッチされる。
【００４９】
ラッチされた画素カウント値が異常な場合は、警告を表示する。
【００５０】
非画像領域部のカウンタは、図１２に示すように、画像領域信号のＰＦＧＡＴＥ＿ｎがネゲートされると、ｂｃｃｌｒパルスが発生して、ａｄｃｏｕｎｔがリセットされる。
【００５１】
ｐｓｆｇａｔｅ＿ｎがネゲートされると、ｂｃｌａｔｃｈパルスが発生して、ａｄｄｅｒにａｄｃｏｕｎｔの値がラッチされる。
【００５２】
図６に示すように、画素カウント値を、データ変換用のＲＡＭ（Ｌ．Ｕ．Ｔ  ルックアップテーブル）を通す事により、トナー消費量データに変換する事ができる。
【００５３】
データ変換用のＲＡＭ（Ｌ．Ｕ．Ｔ）を画像領域用と、非画像領域用の２個持つ事により、画像領域用のトナー消費量データと、非画像領域用のトナー消費量データを違う値にする事ができる。
【００５４】
プロセスコントロール用補正データの複数回のデータを演算して、演算結果に基づいて、画素カウント計算用の累積値を補正するやり方は、いろいろ有るが、図１４は、プロコンデータの平均をとって、補正するやり方を示す。
【００５５】
プロコンデータＰ１、Ｐ２、Ｐ３を取得する。
Ｐ＝(Ｐ１＋Ｐ２＋Ｐ３)／３を計算する。
規定値１＜規定値２＜規定値３とする。
補正値α＞β＞γとする。
Ｐ＞規定値３の場合は、プロコンデータが大きな値が続いたので、画像濃度は最大に濃い事になるので、図５のＳＷ１にＳ１がセレクトされ、画素カウント値Ｙ＝α＊Ａとなり、画素カウント値は、大きな値に補正される。
【００５６】
規定値２＜Ｐ＜規定値３の場合は、３個のプロコンデータの平均は、中くらいなので、
画像濃度の濃さは中くらいなので、ＳＷ１はＳ２がセレクトされ、画素カウント値Ｙ＝β＊Ａとなり、画素カウント値は、中程の値に補正される。
【００５７】
規定値１＜P＜規定値２の場合は、３個のプロコンデータの平均は小さいので、画像濃度の濃さは小さいので、ＳＷ１はＳ３がセレクトされ、画素カウント値Ｙ＝γ＊Ａとなり、画素カウント値は、小さい値に補正される。
【００５８】
画素カウンタ累積値が異常な値の時は、警告を表示する。
【００５９】
従来技術では、画像領域のみの画素カウントを行うが、画像領域外の画素カウントも正確に行え、画像領域部と非画像領域部の画素カウント値を測定するので、正確な画素カウントを行う事ができる。
【００６０】
従来技術では、画素カウント値とトナー消費量が正確に対応しないが、演算を行う事により、画素カウント値とトナー消費量を正確に対応させる事ができる。
【００６１】
なお、上述する各実施の形態は、本発明の好適な実施の形態であり、本発明の要旨を逸脱しない範囲内において種々変更実施が可能である。
【図面の簡単な説明】
【００６２】
【図１】本発明の実施の形態に関わるコピア、プリンタの走査光学系のブロック図である。
【図２】本発明の実施の形態に関わる同期検知部のブロック図である。
【図３】本発明の実施の形態に関わるＶ３出力（XDETP信号）を示す図である。
【図４】本発明の実施の形態に関わるフローチャートである。
【図５】本発明の実施の形態に関わる画素カウント変換部のブロック図である。
【図６】本発明の実施の形態に関わる画素カウント値をトナー消費量データに変換する図である。
【図７】本発明の実施の形態に関わる主走査ＰＳＬＧＡＴＥ期間、主走査方向に黒画像が形成される図である。
【図８】本発明の実施の形態に関わる副走査方向の黒画像の有効領域を示す図である。
【図９】本発明の実施の形態に関わる画素カウンタを画像領域部でカウントするブロック図である。
【図１０】本発明の実施の形態に関わる画素カウンタを画像領域部でカウントするタイミングチャートである。
【図１１】本発明の実施の形態に関わる画素カウンタを非画像領域部でカウントするブロック図である。
【図１２】本発明の実施の形態に関わる画素カウンタを非画像領域部でカウントするタイミングチャートである。
【図１３】本発明の実施の形態に関わるプロセスコントロール用の黒ベタ画像を自動生成するブロック図である。
【図１４】本発明の実施の形態に関わるプロコンデータの平均をとって、補正するやり方を示す図である。
【図１】
2008122605.tif 000003
【図２】
2008122605.tif 000004
【図３】
2008122605.tif 000005
【図４】
2008122605.tif 000006
【図５】
2008122605.tif 000007
【図６】
2008122605.tif 000008
【図７】
2008122605.tif 000009
【図８】
2008122605.tif 000010
【図９】
2008122605.tif 000011
【図１０】
2008122605.tif 000012
【図１１】
2008122605.tif 000013
【図１２】
2008122605.tif 000014
【図１３】
2008122605.tif 000015
【図１４】
2008122605.tif 000016